(57)【要約】  セルラー方式モバイルデバイスのための隣接セル探索の周期性の決定手法が開示される。隣接セル探索は非連続受信（ＤＲＸ）ページングサイクルの最中に行われてよい。しかし、それぞれのＤＲＸページングサイクルの最中に隣接セル探索を実行する代わりに、隣接セル探索を実行するための周期は適応的に決定されてもよい。隣接セル探索のための周期性を決定する際には種々のメトリックが用いられてもよい。種々の実施形態では、隣接セル探索周期性を決定するために、２つ以上のメトリックが組み合わせて利用されてもよい。
2015512226.tif 000002
【特許請求の範囲】
【請求項１】
プロセッサコアを含むシステムオンチップ（ＳＯＣ）と、
前記ＳＯＣに結合され、前記無線モバイルデバイスの１つ以上のパラメータを指示する信号を前記ＳＯＣに提供するように構成される１つ以上の機能ユニットと、
を備える、無線移動デバイスであって、
前記プロセッサコアは、前記無線モバイルデバイスに、前記無線モバイルデバイスの前記１つ以上のパラメータの少なくとも１つに基づく周期性で隣接セル探索を実行させるように構成される、
無線モバイルデバイス。
【請求項２】
前記１つ以上の機能ユニットが加速度計を含み、前記プロセッサコアが、前記無線モバイルデバイスに、前記加速度計から受信された前記速度の指示に基づく周期性で前記隣接セル探索を実行させるように構成される、請求項１に記載の無線モバイルデバイス。
【請求項３】
前記１つ以上の機能ユニットが、無線信号を送信が、前記無線モバイルデバイ及び受信するように構成される無線ユニットを含み、前記プロセッサコアに、前記無線ユニットによって受信された無線信号の強度の指示に基づく周期性で前記隣接セル探索を実行させるように構成される、請求項１に記載の無線モバイルデバイス。
【請求項４】
前記１つ以上の機能ユニットが、無線信号を送信及び受信するように構成される無線ユニットを含み、前記プロセッサコアが、前記無線モバイルデバイスに、前記無線ユニットによって受信された基準信号の品質の指示に基づく周期性で前記隣接セル探索を実行させるように構成される、請求項１に記載の無線モバイルデバイス。
【請求項５】
前記１つ以上の機能ユニットが、無線信号を送信及び受信するように構成される無線ユニットを含み、前記プロセッサコアが、前記無線ユニットによって受信された無線信号から抽出された情報のブロック誤り率に基づく周期性で、前記無線移動デバイスに前記隣接セル探索を実行させるように構成される、請求項１に記載の無線移動デバイス。
【請求項６】
無線モバイルデバイスによって実行された測定を指示する１つ以上の信号を生成することと、
前記無線モバイルデバイスによって実行された前記測定の結果に依存する周期性で隣接セル探索を実行することと、
を含む、方法。
【請求項７】
前記測定が、加速度計によって測定された前記無線モバイルデバイスの速度を含み、前記方法が、前記無線モバイルデバイスの前記速度に基づく周期性で前記隣接セル探索を実行することを更に含む、請求項６に記載の方法。
【請求項８】
前記測定が、前記無線モバイルデバイスによって受信された無線信号の強度の指示を含み、前記方法が、前記無線信号の前記強度に基づく周期性で前記隣接セル探索を実行することを更に含む、請求項６に記載の方法。
【請求項９】
前記測定が、前記無線モバイルデバイスによって受信された基準信号の品質の指示を含み、前記方法が、前記基準信号の前記品質に依存する周期性で前記隣接セル探索を実行することを更に含む、請求項６に記載の方法。
【請求項１０】
前記測定が、前記無線モバイルデバイスによって受信された情報におけるブロック誤り率の指示を含み、前記方法が、前記ブロック誤り率の増加を検出することに応じてより高頻度の間隔で前記隣接セル探索を実行することを更に含む、請求項６に記載の方法。
【請求項１１】
集積回路であって、前記集積回路は、少なくとも１つのプロセッサコアを有するシステムオンチップ（ＳＯＣ）を含む、集積回路と、
モバイルセルラーデバイスの速度の指示を生成するように構成される加速度計と、を備える、モバイルセルラーデバイスであって、
前記プロセッサコアが、前記セルラー方式モバイルデバイスの速度に基づき、前記セルラー方式モバイルデバイスによって隣接セル探索が実行される頻度を決定するように構成される、
モバイルセルラーデバイス。
【請求項１２】
前記プロセッサコアが、前記速度が閾値を上回る点まで増加したとの指示を受信することに応じて、前記隣接セル探索の前記頻度を増加させるように構成される、請求項１１に記載のモバイルセルラーデバイス。
【請求項１３】
前記プロセッサコアが、前記速度が閾値を下回る点まで低下したとの指示を受信することに応じて、前記隣接セル探索の前記頻度を減少させるように構成される、請求項１２に記載のモバイルセルラーデバイス。
【請求項１４】
無線信号を送信及び受信するように構成された無線ユニットを更に含む、モバイルセルラーデバイスであって、前記プロセッサコアが、前記セルラー方式モバイルデバイスの前記速度、及び前記無線ユニットによって割り出された少なくとも１つ以上のメトリックに基づき、前記隣接セル探索の前記頻度を決定するように更に構成され、前記１つ以上のメトリックは以下のもの：
受信信号強度の指示、
受信基準信号の品質、
前記無線モバイルデバイスによって受信された情報のブロック誤り率、
のうちの１つ以上を含む、モバイルセルラーデバイス。
【請求項１５】
前記プロセッサコアが、行列から得られた値に基づき前記隣接セル探索が実行される頻度を決定するように構成され、前記行列は、１つ以上の速度閾値、及び前記無線ユニットから受信されたメトリックからの１つ以上の閾値に基づき生成される、請求項１４に記載のモバイルセルラーデバイス。
【発明の詳細な説明】
【技術分野】
【０００１】
本開示は無線通信デバイスに関し、より詳細には、無線通信デバイス内に実装される無線受信器における電力節減方法に関する。
【背景技術】
【０００２】
［関連技術の説明］
近年、スマートフォン及びタブレットコンピュータ等の無線デバイスはますます高性能になってきている。電話機能のサポートに加えて、多くのモバイルデバイスは今や、インターネットへのアクセス、Ｅメール、テキストメッセージング、及び全地球測位システム（global positioning system、ＧＰＳ）を用いたナビゲーションを提供する。更に、多くのモバイルデバイスは高性能のアプリケーションを動作させる能力を有し、それらの多くは上述の機能性を利用する場合がある。
【０００３】
大量に組み込まれた機能性はモバイルデバイスの電池寿命に大きな負担をかける可能性がある。その結果、多くのデバイスはさまざまな電力節減機構を組み込んでいる。総じて言えば、電力を節減し、電池寿命を節約するために、無線内の回路機構の諸部分が非使用時には電源を切られている場合がある。
【０００４】
無線デバイスにおける１つの大きな電力の消費者は、無線通信を可能にする送信器及び受信器回路機構（以後、「無線回路機構」）である。近年、無線回路機構における電力を節減するための電力節減技法が開発され、非連続受信（又はＤＲＸ）として知られている。ＤＲＸを利用するデバイスでは、受信又は送信されるべき情報（例えば、パケット）が存在しない場合には、無線回路機構の諸部分は電源を切られてもよい。無線回路機構は、受信されるべき情報が存在するかどうかを判定するために周期的に電源を入れられ、その後、このような判定が、新しい情報は来信していないことを指示する場合には、再び電源を切ることができる。１つの例示的な方法では、ＤＲＸを利用するデバイスは、送信されたパケット内のヘッダから、その中に包含されている情報はそのデバイスへ来信しているのかどうかを判定する場合がある。情報がそのデバイスと関係ない場合には、このとき、回路機構はパケットの残りの少なくとも一部分のためには電源を切られ、その後、次のヘッダの前に電源を入れることができる。ポーリングは、用いられ得る別の技法である。この技法では、デバイスは、受信を待っている情報がいくらか存在するかどうかを判定するために、アクセスポイント又は基地局へビーコンを周期的に送信してもよい。受信を待っている情報がない場合には、無線回路機構の諸部分は、次のビーコンが送信されるまで、電源は切られてもよい。
【０００５】
情報がモバイルデバイスによる受信を待っているかどうかを判定することに加えて、ＤＲＸモードで動作している際に無線回路機構に電源が入っている期間中に、隣接セル探索を行うことができる。隣接セル探索は、セル再選択、及び１つのセルから別のものへのモバイルデバイスのハンドオーバを可能にするために実行することができる。
【発明の概要】
【０００６】
セルラー方式モバイルデバイスのための隣接セル探索の周期性の決定手法が開示される。隣接セル探索は非連続受信（ＤＲＸ）ページングサイクルの最中に行うことができる。しかし、それぞれのＤＲＸページングサイクルの最中に隣接セル探索を実行する代わりに、隣接セル探索を実行するための周期は適応的に決定することができる。隣接セル探索のための周期性を決定する際には種々のメトリックが用いられてもよい。種々の実施形態では、隣接セル探索周期性を決定するために、２つ以上のメトリックが組み合わせて利用されてもよい。
【０００７】
セルラー方式モバイルデバイスは、セルラー電話／スマートフォン又はタブレットコンピュータを含む、多数の異なる種類のデバイスの１つであってよい。セルラー方式モバイルデバイスは、電力を節約し、かくして電池寿命を節約するために、ＤＲＸを利用することができる。したがって、セルラー方式モバイルデバイス内の無線回路機構の少なくとも一部は、情報を受信又は送信していない時には、電源を切られてもよい。受信されるべきトラフィックが存在するかどうかを判定するための無線回路機構の周期的作動は、ＤＲＸページングサイクルと呼ばれることができる。
以下の詳細な説明は、次に簡単に説明される添付の図面を参照する。
【図面の簡単な説明】
【０００８】
【図１Ａ】例示的な（及び単純化された）無線通信システムを示す。
【図１Ｂ】ユーザ機器１０６と通信する基地局１０２を示す。
【図２】一実施形態に係る、ＵＥ  １０６の例示的なブロック図を示す。
【図３】モバイルデバイスの一実施形態のための隣接セル探索において用いられる同期シーケンス送信を示す図である。
【図４】モバイルデバイスの一実施形態による隣接セル探索において用いられる相関機構を示す図である。
【図５】隣接セル探索を実行するための周期性を決定するためにモバイルデバイスの速度を用いる方法の一実施形態を示すフロー図である。
【図６】隣接セル探索を実行するための周期性を決定するためにモバイルデバイスの速度及び基準信号受信電力を用いる方法の一実施形態を示すフロー図である。
【図７】隣接セル探索を実行するための周期性を決定するために、受信されたブロック誤り率（ＢＬＥＲ）を用いる方法の一実施形態を示すフロー図である。
【０００９】
本発明は種々の変更及び代替的な形態を受け入れる余地があるが、その特定の諸実施形態が図面には例として示されており、本明細書において詳細に説明されることになる。しかし、図面及びそれらに対する詳細な説明は、本発明を、開示されている特定の形態に限定することを意図されているのではなく、逆に、その意図は、添付の請求項によって定義されている通りの本発明の趣旨及び範囲内に入る全ての変更、均等物及び代替物を範囲に含むことであることを理解されたい。本明細書において用いられている見出しは単に構成上の目的のためのみのものであり、説明の範囲を限定するために用いられるように意図されているわけではない。本出願全体を通じて使用されるとき、「〜してもよい（may）」という語は、義務的な意味（すなわち、〜なければならない（must）を意味する）ではなく、許容的な意味で使用される（すなわち、〜する可能性を有していることを意味する）。同様に、「含む（include）」、「含む（including）」、及び「含む（includes）」という語は、〜を含むが、それに限定するものではないことを意味する。
【００１０】
種々のユニット、回路、又はその他の構成要素は、タスク又はタスク群を実行する「〜するように構成される（configured to）」と説明される場合がある。このような文脈において、「〜するように構成される」とは、動作時にそのタスク又はタスク群を実行する「回路機構を有する」ことを広く意味する構造の広義の表現である。それゆえ、ユニット／回路／構成要素は、たとえ、ユニット／回路／構成要素が現在は作動していなくても、タスクを実行するように構成することができる。概して、「〜するように構成される（configured to）」に対応する構造を形成する回路機構は、操作を実施するために実行可能なプログラム命令を記憶するハードウェア回路及び／又はメモリを含んでもよい。メモリは、スタティック若しくはダイナミックランダムアクセスメモリ等の揮発性メモリ、並びに／又は光又は磁気ディスク記憶装置、フラッシュメモリ、プログラマブル・リードオンリーメモリなど等の不揮発性メモリを含み得る。同様に、説明上の便宜のために、種々のユニット／回路／構成要素がタスク又はタスク群を実行するように説明される場合がある。このような説明は、「〜するように構成される」という文言を含むと解釈されるべきである。１つ以上のタスクを実行するように構成されるユニット／回路／構成要素と表現することは、米国特許法第１１２条、第６項のユニット／回路／構成要素についての解釈を行使しないことを明示的に意図されている。
【発明を実施するための形態】
【００１１】
略語
本仮特許出願においては、以下の略語が用いられている。
ＢＬＥＲ：ブロック誤り率（Block Error Rate）（パケット誤り率と同じ）
ＢＥＲ：ビット誤り率（Bit Error Rate）
ＣＲＣ：巡回冗長検査（Cyclic Redundancy Check）
ＤＬ：ダウンリンク（Downlink）
ＤＲＸ：非連続受信（Discontinuous Reception）
ＰＥＲ：パケット誤り率（Packet Error Rate）
ＳＩＮＲ：信号対干渉及び雑音比（Signal to Interference-and-Noise Ratio）
ＳＩＲ：信号対干渉比（Signal to Interference Ratio）
ＳＮＲ：信号対雑音比（Signal to Noise Ratio）
Ｔｘ：送信（Transmission）
ＵＥ：ユーザ機器（User Equipment）
ＵＬ：アップリンク（Uplink）
ＵＭＴＳ：ユニバーサル移動通信システム（Universal Mobile Telecommunication System）
【００１２】
図１Ａは、例示的な（及び単純化された）無線通信システムを示す。図１Ａのシステムはあり得るシステムの単なる一例にすぎず、本発明の諸実施形態は所望に応じて種々のシステムの任意のものにおいて実施されてよいことに留意されたい。
【００１３】
図示の通り、例示的な無線通信システムは、伝送媒体を通じて１つ以上のＵＥ  １０６Ａ〜１０６Ｎと通信する基地局１０２を含む。
【００１４】
基地局１０２は無線基地局装置（base transceiver station、ＢＴＳ）又はセルサイトであってよく、ＵＥ  １０６Ａ〜１０６Ｎとの無線通信を可能にするハードウェアを含んでよい。基地局１０２は、ネットワーク１００と通信する能力を備えていてもよい。それゆえ、基地局１０２は、ＵＥ同士の間及び／又はＵＥとネットワーク１００との間の通信を促進することができる。基地局の通信領域（又はカバレッジ領域）は「セル」と呼ばれることがある。基地局１０２及びＵＥは、ＧＳＭ（登録商標）、ＣＤＭＡ、ＷＬＬ、ＷＡＮ、ＷｉＦｉ（登録商標）、ＷｉＭＡＸ（登録商標）などのような種々の無線通信技術の任意のものを用いる送信媒体を通じて通信するように構成されてよい
【００１５】
図１Ｂは、基地局１０２と通信するＵＥ  １０６（例えば、デバイス１０６Ａ〜１０６Ｎのうちの１つ）を示す。ＵＥ  １０６は、モバイル電話、ハンドヘルドデバイス、コンピュータ又はタブレット等の無線ネットワーク接続性を有するデバイス、あるいは実質上あらゆる種類の無線デバイスであってよい。ＵＥ  １０６は、メモリ内に記憶されたプログラム命令を実行するように構成された少なくとも１つのプロセッサを含んでもよい。ＵＥは、このような記憶された命令を実行することによって本明細書に記載されている諸実施形態のうちの任意のものを実行してもよい。実施形態によっては、ＵＥは、本明細書に記載されている方法実施形態のうちの任意のもの、又は本明細書に記載されている方法実施形態のうちの任意のものの任意の部分を実行するように構成されたＦＰＧＡ（フィールド・プログラマブル・ゲート・アレイ）等のプログラム可能ハードウェア要素を含んでもよい。
【００１６】
実施形態によっては、ＵＥ  １０６は、基地局１０２に返される１つ以上のチャネル品質インジケータ（ＣＱＩ）を生成するように構成されてよい。基地局１０２は、１つ以上の基地局から受信されたこれらのＣＱＩを、それぞれのＵＥ  １０６、又は場合によっては他のＵＥ  １０６とのその通信を調整するために用いてよい。例えば、一実施形態では、基地局１０２は、そのカバレッジ領域（又はセル）内の種々のＵＥの間のその通信スケジューリングを調整するために、複数のＵＥ  １０６からＣＱＩを受信し、これを利用してよい。
【００１７】
ユーザ機器（ＵＥ）１０６は、基地局（ＢＳ）へフィードバックされるＣＱＩを決定するために、本明細書に記載されている通りのＣＱＩ生成方法を用いてよい。一実施形態では、ＣＱＩの生成は、ＵＥによって経験されている現在の通信シナリオに基づいて実行される。以下において説明されるように、オフラインプロセスの間に、さまざまな可能性のある通信シナリオのための情報（例えば、マッピングテーブル）が生成されてもよく、この情報はＵＥ内に記憶されてもよい。後に、ＵＥが実際に使用中（オンライン）の時に、ＵＥは、それが経験している現在の通信シナリオを判定し、予め記憶された情報（例えば、マッピングテーブル）を、チャネル品質インジケータ（ＣＱＩ）の生成に用いるために選択することができる。
【００１８】
図２はＵＥ  １０６の例示的なブロック図を示す。図示の通り、ＵＥ  １０６は、種々の目的のための部分を含んでもよい、システムオンチップ（system on chip、ＳＯＣ）２００を含んでもよい。例えば、図示の通り、ＳＯＣ  ２００は、ＵＥ  １０６のためのプログラム命令を実行することができるプロセッサ２０２（又はプロセッサコア２０２）と、グラフィック処理を実行し、ディスプレイ２４０に表示信号を提供することができる表示回路２０４とを含んでよい。プロセッサ２０２はメモリ管理ユニット（memory management unit、ＭＭＵ）２４０に結合されてもよく、ＭＭＵ  ２４０は、プロセッサ２０２からアドレスを受信し、それらのアドレスを、メモリ（例えば、メモリ２０６、リードオンリーメモリ（read only memory、ＲＯＭ）２５０、ＮＡＮＤフラッシュメモリ２１０）内の位置に変換し、並びに／又は表示回路２０４、無線２３０、コネクタＩ／Ｆ  ２２０、及び／若しくはディスプレイ２４０等の、その他の回路又はデバイスに変換するように構成されてよい。ＭＭＵ  ２４０は、メモリ保護並びにページテーブル変換若しくはセットアップを実行するように構成されてよい。実施形態によっては、ＭＭＵ  ２４０はプロセッサ２０２の一部として含まれてもよい。
【００１９】
図示の実施形態では、ＲＯＭ  ２５０は、起動又は初期化時にプロセッサ２０２によって実行され得るブートローダ２５２を含んでもよい。同様に図示されている通り、ＳＯＣ  ２００はＵＥ  １０６の種々の他の回路に結合されてもよい。例えば、ＵＥ  １０６は、（例えば、ＮＡＮＤフラッシュ２１０を含む）さまざまな種類のメモリ、（例えば、コンピュータシステムに結合するための）コネクタインタフェース２２０、ディスプレイ２４０、及び無線通信を実行するためにアンテナ２３５を用いてもよい（例えば、ＧＳＭ（登録商標）、Ｂｌｕｅｔｏｏｔｈ（登録商標）、ＷｉＦｉ等のための）無線通信回路機構を含んでもよい。本明細書に記載されているように、ＵＥ  １０６は、ＣＱＩ値を生成し、及び／又はこれを基地局に提供するためのハードウェア及びソフトウェア構成要素を含んでもよい。
【００２０】
図示の実施形態におけるＵＥ  １０６は、ＳＯＣ  ２００に結合された加速度計２１３も含む。加速度計２１３は、ＵＥ  １０６の動きを検出するために用いられてよい。一実施形態では、加速度計２１２は、ＵＥ  １０６の速度（運動の速さ及び方向）の指示を提供してもよい。利用法の中でもとりわけ、ＵＥ  １０６の速度の指示は、以下において更に詳細に説明されるように、隣接セル探索及び再選択において用いられてよい。同じく以下において説明されるように、速度指示を使用して、隣接セル探索がどのぐらいの頻度で行われるべきかを決定することができる。本実施形態では速度を割り出すために加速度計２１３が用いられているが、その他の種類の機能ユニット（例えば、全地球測位システム、すなわちＧＰＳ、ユニット）を利用する諸実施形態も可能であり、企図されていることに更に留意されたい。
【００２１】
図示の実施形態におけるＵＥ  １０６は、ＤＲＸモードでの動作のために構成されてもよく、入力トラフィックも出力トラフィックも存在しない時には、無線２３０の少なくとも一部の回路は電源を切られてもよい。無線２３０の回路は、受信されるべき入力トラフィックがいくらか存在しているかどうかを判定するために、周期的に電源を入れられてもよい。受信される入力トラフィックがない場合には、無線２３０の回路は再び電源を切られてもよい。このサイクルはページングサイクルと呼ばれることがある。一実施形態におけるページングサイクルの長さは、プロセッサ２０２によって制御することができる。実施形態によっては、ＲＯＭ  ２５０から受信された情報をプロセッサ２０２によって利用して、ページングサイクルの長さ（無線２３０の対応する回路機構が入力トラフィックの監視のためにオンになっている継続期間など）を決定してもよい。
【００２２】
ページングサイクルの電源が入っている部分の最中における入力トラフィックの監視に加えて、ＵＥ  １０６は隣接セル探索も実行することができる。隣接セル探索は、ＵＥ  １０６がセル再選択を実行することを可能にし、セル再選択は種々の理由で実行されてもよい。例えば、ＵＥ  １０６が移動している場合には（例えば、ＵＥ  １０６が、移動中の自動車内にある場合には）、位置が変化する結果として、ＵＥ  １０６は、通信を行うための新しいセルを選択してよい。通信を行うことができるセルを発見するために、ＵＥ  １０６は隣接セル探索を実行してよい。したがって、プロセッサ２０２の指示及びプロセッサ２０２で実行する命令（メモリ２０６又はＲＯＭ  ２５０からアクセスされて得る）を受けて、無線２３０の回路機構に電源が入れられているページングサイクルの部分の間に種々の測定を実行することができる。これらの測定は、隣接セルが存在する場合にはどの隣接セルが存在するのか、並びに、それらのうちのどれがＵＥ  １０６による再選択のための候補になるのか、を判定することができる。測定の実行は、無線２３０による種々の信号の送信及び受信を含んでもよい。プロセッサ２０２は、どの測定が実行されるべきかを決定することができ、特定の測定の結果を割り出すために、受信された信号に基づき算出を更に実行してよい。
【００２３】
隣接セル探索のために必要な測定を実行すると、些細でない量の電力を消費する場合があり、それにより、ＵＥ  １０６の電池寿命に影響を及ぼす。そのため、それぞれのページングサイクルの最中に実行され得るもう１つの機能は、隣接セル探索を行うための周期性の決定である。行われた測定によって割り出された種々のメトリックに基づき、プロセッサ２０２は、隣接セル探索が行われるべき周期を決定することができる。この周期はページングサイクル毎に１回未満であってもよく、ＵＥ  １０６が動作している環境への変化に応じて変化してよい。隣接セル探索周期を決定するためにプロセッサ２０２によって用いられる種々の方法が以下において説明されている。
【００２４】
隣接セル探索は、送信信号の周波数、及び測定されているセルの無線アクセス技術（radio access technology、ＲＡＴ）に基づき、さまざまな種類の測定を利用してもよい。本明細書において説明される測定の種類には、サービス中のセル測定、周波数内セル測定、周波数間セル測定、及びＲＡＴ間セルの測定が挙げられる。
【００２５】
サービス中のセル測定は、ＵＥに現在サービスを提供しているセルの信号強度を測定する。一実施形態では、この測定は、最も高頻度で行われるものであり得る。例えば、ＬＴＥプロトコル（ロングタームエボリューション、４Ｇとも呼ばれる）に従って通信するように構成される実施形態では、サービス中のセル測定はＤＲＸページングサイクル毎に１回実行されてもよい。
【００２６】
周波数内セル測定は、ＵＥが周波数内隣接セル（すなわち、同じ無線周波数（radio frequency）、つまりＲＦ上で動作している隣接セル）の測定を開始する測定である。この測定は、サービス中のセルの受信基準信号電力（received reference signal power、ＲＳＲＰ）又は受信信号品質（received signal quality、ＲＳＲＱ）の少なくとも一方が各自の閾値を下回った時に開始され得る。
【００２７】
周波数間セル測定では、ＵＥが、ネットワーク閾値設定に基づき、周波数間隣接者についての関連測定品質を検出し、測定することができる。より具体的には、ＲＦ信号は帯域内の異なる周波数に同調され、それぞれの周波数における測定品質を判定してもよい。
【００２８】
ＲＡＴ間セルの測定は種々の閾値に依存してよい。ＲＡＴ間セル測定は、ＵＥの動作能力の範囲に含まれる２つ以上の異なる技術／プロトコルに係る測定（例えば、ＬＴＥのための測定、３Ｇのための別の測定）を実行することを含んでもよい。ＲＡＴ間測定を用いて、ＵＥは、別の技術／プロトコルへ切り替える方がより有益であるかどうかを判定することができる。サービス中のセルの信号品質が優先度の高い閾値よりも高い場合には、ＵＥは、特定の周期性で優先度のより高いＲＡＴ間周波数層を探索してもよい。サービス中のセルの信号品質が別の閾値よりも低い場合には、ＵＥは、設定されている測定周波数上で全てのＲＡＴ間セルを探索し、測定してもよい。
【００２９】
次に図３を参照すると、モバイルデバイスの一実施形態のための隣接セル探索において用いられる同期シーケンスの送信を示す図が示されている。隣接セル測定が実行可能になる前に、ＵＥは、隣接セルを検出し、隣接セルの基地局から周期的に送信されている既知の同期シーケンスを取得することによって、それに同期してもよい。図３に示されている例は、２つの異なる同期シーケンスが送信される、ＬＴＥにおいて用いられる同期手順である。図１に示されるように、一次同期シーケンス（primary synchronization sequence、ＰＳＳ）及び二次同期シーケンス（secondary synchronization sequence、ＳＳＳ）が送信される。ＰＳＳは、周波数領域において、特定のルートインデックスを用いるＺａｄｏｆｆ−Ｃｈｕシーケンスを利用して形成されてもよい。Ｚａｄｏｆｆ−Ｃｈｕシーケンスは、無線信号に適用されると、一定の振幅を有する信号を生じさせる数学的シーケンスである。ＳＳＳは、周波数領域において２つの送信バイナリシーケンスをインタリーブすることによって形成され得る。図１には、周波数分割二重（frequency division duplexing、ＦＤＤ）モードで動作しているＬＴＥの場合のＰＳＳ／ＳＳＳ送信が示されている。シーケンスはそれぞれ、図示の例では５ｍｓである、半フレーム毎に１回送信されてよい。ＵＥは、１つを超える隣接セルについての受信シーケンスの相関を取り、どの隣接セルが最も大きな相関を提供しているのかを判定することができる。
【００３０】
図４は、モバイルデバイスの一実施形態による隣接セル探索において用いられる相関機構を示す図である。より具体的には、図４は、ＰＳＳ及びＳＳＳが取得され得る機構を示す。一実施形態では、機構は無線ユニット２３０のデジタル部分内に実装される。しかし、他の実施形態では、機構は、プロセッサ２０２内を含む、他の場所に実装されてもよい。
【００３１】
図示の例では、入力サンプルが受信され、ＰＳＳ相関器へ提供され得る。入力サンプルはタイミング調整ユニット（例えば、サンプルレート変換器）によって受信されてもよい。ＰＳＳ相関ユニットはＰＳＳインデックスを出力することができ、また同期タイミングオフセット信号を出力することもできる。同期タイミングオフセット信号はタイミング調整ユニットによって受信されてよく、タイミング調整ユニットはそれに応じて入力サンプルのタイミングを調整することができる。入力サンプルが受信されているセルを識別するように構成された識別ユニットへ、ＰＳＳインデックスが直接出力される。タイミング調整ユニットの出力は、サンプルストリームに対してＦＦＴを実行するように構成された高速フーリエ変換（fast Fourier transform、ＦＦＴ）ユニットに提供されてよい。ＦＦＴユニットの出力は、相関演算を実行するように構成されたＳＳＳ相関ユニットに提供されてよい。相関演算の結果はＳＳＳインデックスとして識別ユニットへ出力されてよい。ＰＳＳインデックス及びＳＳＳインデックスの両者を用いて、識別ユニットは、入力サンプルが受信されているセルの識別を計算してよい。
【００３２】
ＵＥのための無線チャネルにおいては、フェージング等の因子のためにＲＦ条件が受信信号のレベルに悪影響を及ぼす場合がある。加えて、速度（ＵＥの運動の速さ及び方向）に基づき、隣接セルはさまざまな時点で再選択のための候補になり得る。例えば、ＵＥがゆっくりと移動している場合には、特定の隣接セルは、より長い時間、その受信圏内に現れない場合がある。逆に、ＵＥが速く移動している場合には、特定の隣接セルはその受信圏内により速いレートで現れてもよい。したがって、隣接セルが探索を行うレートはセル再選択実行の決定における因子となり得る。
【００３３】
以下に示す表１は、３ＧＰＰ仕様から取った、周波数内隣接セルのための最大セル検出時間の要件を提供する表である。行は、左から右へ、ＤＲＸサイクル長、隣接セルを検出するためのサイクルの数、隣接セルを評価するためのサイクルの数、及び隣接セルを評価するためのサイクルの数である。ＵＥの速度はセル再選択実行における因子になるため、セル検出を確実にするために、以下の表１内の数値は速度に従って変更されてもよい。
【表１】
2015512226.tif 000003
【００３４】
ＬＴＥでは、ＤＲＸモードでの動作は、無線リソース制御（radio resource control、ＲＲＣ）接続状態及びＲＲＣアイドル状態の両方において有効にすることができる。以下の説明はＲＲＣアイドル状態における動作に焦点を当てている。
【００３５】
ＬＴＥ技術を利用するＵＥは、ダウンロードトラフィックのためにページングされてもよく、又はサービング基地局とのＲＲＣ接続を要求することによってアップロードトラフィックを開始してもよい。この状態において、ＵＥは、より強い信号を提供する隣接セルへ再選択してもよく、そのために隣接セル探索及び測定を実行してもよい。ＤＲＸアイドル時間の最中、ＵＥは、一実施形態では１つのＬＴＥサブフレームに相当する、１つのページング機会を監視してもよい。
【００３６】
上述の通り、隣接セル探索の目的は、再選択／ハンドオーバのための候補を識別するために隣接セルを検出することである。隣接セルの信頼性は、比較的強い隣接セルが存在する可能性、及びこれらのセルがＵＥの受信圏内に現れ得るレートに基づき、変化する場合がある。隣接セル、又は比較的強い隣接セルを有するものの可能性が低い場合には、電池寿命を節約するために隣接セル探索はより低頻度で実行され得るので、ＵＥ内の無線の対応する起動時間は、ページングサイクルの最中、最小値に維持することができる。
【００３７】
適切な周期性の決定は、所与の状況において適切な隣接セルを見つける可能性がどのぐらいあるのかの予測によって決まってもよく、多数の異なるメトリックに基づいてもよい。１つのこうしたメトリックはＵＥの速度である。上述のように、ＵＥの速度を割り出すためには、加速度計又はその他の機能ユニットが用いられてもよい。ＵＥが速く移動している場合には、ＵＥが動作する環境はより高頻度で変化し得るため、隣接セルをより頻繁に探索することが有益になり得る。逆に、ＵＥがゆっくりと移動しているか又は静止している場合には、ＵＥの環境はもっとゆっくりと変化し得るため、より低頻度の隣接セル探索が行われてよい。
【００３８】
基準信号受信電力（Reference signal receive power、ＲＳＳＰ）は、隣接探索の周期性を決定するために用いることができる別のメトリックである。ＲＳＲＰが低い場合には、隣接セルを見つける見込みが高くなり得る。一実施形態では、このメトリックは、隣接セル探索の周期性に関してより高い分解能をもたらすために、ＵＥ速度と組み合わせられてもよい。例えば、ＲＳＲＰが高い場合には、ＵＥはその現在のセルの縁部の近くにいない可能性があるので、たとえＵＥが速く移動していても、それにもかかわらず、それは、隣接セルをより高頻度で探索する更なる恩恵を何も提供しなくてもよい。
【００３９】
第３のメトリック、基準信号受信品質（reference signal receive quality、ＲＳＲＱ）は、受信信号強度指示（received signal strength indication、ＲＳＳＩ）及びＲＳＲＰに基づく。より具体的には、ＲＳＳＩのレベルがＲＳＲＰに比較して高い場合には、このとき、それは、隣接セルに起因する干渉を指示している可能性がある。これは、結果として、探索をより高頻度で行うことが有益であることを指示している可能性がある。
【００４０】
隣接セル探索の周期性の決定においては、以前の探索からの探索隣接強度が用いられてもよい。以前のＰＳＳ及びＳＳＳ探索の信号対雑音（ＳＮＲ）値が高い場合には、隣接セルが存在する可能性。このような状況では、より高頻度の隣接セル探索が有益となる可能性がある。
【００４１】
利用され得る別のメトリックは信号対干渉及び雑音比（ＳＩＮＲ）である。受信ＳＩＮＲが低く、ＲＳＲＰが大きい場合には、このとき、隣接セルが前者を劣化させている可能性が高い。このような状況では、より高頻度の隣接セル探索が有益となる可能性がある。一方、ＳＩＮＲが高く、ＲＳＲＰが低い場合には、このとき、隣接セルが存在する可能性は低く、それゆえ、隣接セル探索をより低頻度で実行することによってより大きな電力節減が実現されてもよい。
【００４２】
受信されたブロック誤り率（ＢＬＥＲ）は、利用できる更に別のメトリックである。変調方式及び符号化方式がロバストである実施形態において、ＢＬＥＲが大きく、かつＲＳＲＰも大きい場合には、隣接セルが、受信信号に関する性能を劣化させている干渉を生み出している可能性が高い。それゆえ、より高頻度の隣接セル探索が必要とされてもよい。一方、ＢＬＥＲが低い場合には、それは、隣接セルは干渉を生み出していないことを指示している可能性があり、それゆえ、より低頻度の隣接セル探索が行われてもよい。
【００４３】
図５は、ＵＥの速度に基づき隣接セル探索周期性を決定する方法の一実施形態を示すフロー図である。決定を行う際には、多数の異なる速度閾値が用いられる。Ｍ個の速度閾値について、ＶTH＝［ＶTH1，ＶTH2，．．．ＶTHM］。本実施形態では速度閾値は昇順で並べられることに留意されたい。Ｍ＋１個の対応する探索周期（ＮＳＰ）が存在する場合には、このとき、ＮＳＰ＝［ＮＳＰ1，ＮＳＰ2，．．．ＮＳＰM，ＮＳＰM+1］。ＮＳＰ値は降順で並べられることに留意されたい。探索は、ＤＲＸモードでの動作中、無線回路機構が起動している時にのみ行われるため、探索周期はアイドルＤＲＸサイクル継続期間の倍数になることに更に留意されたい。
【００４４】
アルゴリズムは、探索周期をその最大値に設定することから開始することができる。本方法のための擬似コードは以下のように表現することができる：
−速度を割り出す
−ｊ＝１〜Ｍについてループする
−現在の速度＜ＶTHjである場合には、
−ＮＳＰcurrent＝ＮＳＰj
−ループを抜ける
−さもなければ
−ループを継続する
−ｊ＝Ｍで、ＮＳＰcurrentが設定されていない場合には、ＵＥ速度＞ＶTHMであるので、
ＮＳＰcurrent＝ＮＳＰM+1。
【００４５】
図３に、本手法が更に示されている。方法３００は、モバイルデバイスの速度の割り出しから開始する（ブロック３０５）。この時点の探索周期も最大探索周期に設定されてよい。一実施形態では、速度は、ＵＥ内に実装された加速度計によって割り出されてもよい。ただし、ＵＥ速度を割り出すその他の手段も可能であり、企図されている。
【００４６】
速度が現在の閾値以下である場合には（ブロック３１０、はい）、このとき、現在の探索周期が用いられてよく（ブロック３１５）、本方法は現在の反復で完了する。速度は現在の閾値よりも大きいが（ブロック３１０、いいえ）、閾値は最大閾値ではない場合には（ブロック３２０、いいえ）、このとき、閾値及び探索周期は次の反復のために更新されてよい（ブロック３２５）。図示の実施形態では、更新は、速度閾値を増加させ、探索周期を減少させることを含んでもよい。次に、本方法は、速度閾値に対する速度の新たな検査のために、ブロック３１０へ戻ってよい。
【００４７】
速度が現在の閾値よりも大きく（ブロック３１０、いいえ）、現在の閾値が最大限の速度閾値である場合には（ブロック３２０、はい）、このとき、最小の周期が隣接セル探索周期として用いられてよい（ブロック３３０）。
【００４８】
上述のように、隣接セル探索周期を決定するために、１つを超えるメトリックが用いられてもよい。以下の説明は、隣接セル探索周期のための周期性を決定するためにＵＥ速度及びＲＳＲＰが互いに併用されてもよい一実施形態の例である。
【００４９】
隣接セル探索周期を決定するために速度及びＲＳＲＰの２つのメトリックを用いる際には、行列が形成されてもよい。行列は、Ｍ個の速度閾値及びＮ個のＲＳＲＰ閾値に基づくＭ＋１行Ｎ＋１列の行列であってよい。Ｍ個の速度閾値について、ＶTH＝［ＶTH1，ＶTH2，．．．ＶTHM］。合計Ｎ個のＲＳＲＰ閾値が存在する場合には、ＲＳＲＰTH＝［ＲＳＲＰTH1，ＲＳＲＰTH2，．．．ＲＳＲＰTHN］。Ｍ個の速度閾値及びＮ個のＲＳＲＰ閾値に基づき、隣接セル探索周期の行列は以下のように形成することができる：
【表２】
2015512226.tif 000004
【００５０】
ｉ＝１：Ｎ及びｊ＝１：Ｎについて、対応する隣接セル探索周期、ＮＳＰi,j、を決定するための検索アルゴリズムが実行されてよい。ｉの値は、現在のＲＳＲＰ値をＲＳＲＰ閾値、ＲＳＲＰTH＝［ＲＳＲＰTH1，ＲＳＲＰTH2，．．．ＲＳＲＰTHN］、と逐次比較することによって決定されてよい。現在のＲＳＲＰ値が最小閾値、ＲＳＲＰTHN、未満である場合には、このとき、ｉ＝Ｎ＋１とする。同様に、ｊの値は、現在のＵＥ速度を速度閾値、すなわち、ＶTH＝［ＶTH1，ＶTH2，．．．ＶTHM］、と比較することによって決定されてよい。現在のＵＥ速度が最大閾値、ＶTHM、よりも大きい場合には、このとき、ｊ＝Ｍ＋１とする。
【００５１】
図６は、探索周期を決定するために２つのパラメータ、ＵＥ速度及びＲＳＲＰを用いる方法の一実施形態を示すフロー図である。方法６００は、上述のハードウェア、並びにこのハードウェアで実行することができるソフトウェアの種々の実施形態によって実行することができる。方法６００は、本明細書に明示的に説明されていないハードウェア及びソフトウェアの他の実施形態によって実行されてもよい。
【００５２】
図示の実施形態において、方法６００は、ブロック６０５において、ＵＥ速度（Ｖcurrent）及び現在のＲＳＲＰ値（ＲＳＲＰcurrent）の割り出しから開始する。これらの値が割り出された後、ｉ及びｊの値は上述の方法で決定されてもよい（ブロック６１０）。現在のＵＥ速度及び現在のＲＳＲＰ値の比較は、実施形態に依存して、逐次に行われてもよく、並列に行われてもよく、又は入れ子ループ内で行われてもよい。
【００５３】
決定されたｉ及びｊの値がｉ＜Ｎかつｊ＜Ｍという結果になった場合には（ブロック６１５、はい）、このとき、探索周期はＮＳＰi,jとなる（ブロック６２０）。決定されたｉ及びｊの値がｉ＝Ｎかつｊ＜Ｍという結果になった場合には（ブロック６２５、はい）、このとき、探索周期はＮＳＰN+1,jとなる（ブロック６３０）。決定されたｉ及びｊの値がｉ＜Ｎかつｊ＝Ｍという結果になった場合には（ブロック６３５、はい）、このとき、探索周期はＮＳＰi,M+1となる（ブロック６４０）。ブロック６１５、６２５、又は６３５の場合がいずれも真でない場合には、このとき、ｉ＝Ｎかつｊ＝Ｍとなり（ブロック６４５）、それゆえ、探索周期はＮＳＰN+1,M+1となる。
【００５４】
図７は、隣接セル探索を実行するための周期性を決定するために、受信されたブロック誤り率（ＢＬＥＲ）を用いる方法の一実施形態を示すフロー図である。方法７００は、上述のハードウェアの実施形態を用いて実行されてもよく、このようなハードウェアの実施形態内に実装されたソフトウェアを用いて実施されてもよい。更に、方法７００は、本明細書に明示的に説明されていない実施形態によって実施されてもよい。
【００５５】
方法７００は、ページング無線ネットワーク一時識別子（Paging Radio Network Temporary Identifier、Ｐ−ＲＮＴＩ；ブロック７０５）を介したページングデータの検査から開始する。Ｐ−ＲＮＴＩは、ＵＥによって、物理チャネルがページングのためにＵＥにアドレス指定されているかどうかを識別するために用いられてよい。ＵＥへ送られたページングデータは巡回冗長検査（ＣＲＣ）エラーについて検査することができる。一般的に、ページングデータ内のＣＲＣエラーの数が大きいほど、ＢＬＥＲは高く、その一方、より少数のＣＲＣエラーはより低いＢＬＥＲに対応する。ページングデータ内にＣＲＣエラーが検出された場合には（ブロック７１０、はい）、このとき、探索はＮ回のＤＲＸサイクル毎に実行されてよい（ブロック７１５）。ここで、Ｎは整数値である。そうでなく、ページングデータ内にＣＲＣエラーが検出されなかった場合には、このとき、現在の探索周期性が維持されてよい（ブロック７２０）。
【００５６】
方法７００の変形も可能であり、企図されている。例えば、所与の時間間隔にわたるＢＬＥＲの値が１つ以上の閾値と比較することができる。隣接セル探索は、より高いＢＬＥＲ閾値に対応するＢＬＥＲ値の場合にはより高頻度で実行され、より低いＢＬＥＲ閾値に対応するＢＬＥＲ値の場合にはより低頻度で実行されてよい。更に、ＢＬＥＲは、最適の隣接セル探索周期性を決定するために（例えば、上述の行列におけるように）他のメトリックと併用されるメトリックであってもよい。
【００５７】
上述の開示が完全に理解されれば、当業者には数多くの変形及び変更が明らかになるであろう。添付の請求項はこのような変形及び変更を全て包含するように解釈されることが意図されている。
【図１Ａ】
2015512226.tif 000005
【図１Ｂ】
2015512226.tif 000006
【図２】
2015512226.tif 000007
【図３】
2015512226.tif 000008
【図４】
2015512226.tif 000009
【図５】
2015512226.tif 000010
【図６】
2015512226.tif 000011
【図７】
2015512226.tif 000012
【国際調査報告】
2015512226.tif 000013
2015512226.tif 000014
2015512226.tif 000015